(57)【特許請求の範囲】
【請求項１】
上枠、下枠、および左右の縦枠の内部に面材を支持した複数の窓部と、この窓部よりも屋外側に略水平に突出する屋外突出部とを備えたカーテンウォールであって、
前記複数の窓部のうち下側に設けられる下側窓部と、この下側窓部の上側に設けられる上側窓部との間には、建物躯体に支持される中間外壁体が設けられ、この中間外壁体は、少なくとも中間上枠および中間下枠と、中間面材とを有して構成されるとともに、前記中間下枠と前記下側窓部の上枠とが、乾式の止水構造を介して接続され、前記中間上枠と前記上側窓部の下枠とが、乾式の止水構造を介して接続され、
前記屋外突出部は、略水平に延びる水平面材と、この水平面材を支持するとともに前記中間外壁体の中間上枠と中間下枠との間を通って建物内部側に延びる突出支持材とを備えて構成され、この突出支持材が前記中間外壁体よりも屋内側にて建物躯体に連結されているカーテンウォール。
【請求項２】
前記中間外壁体の中間上枠および中間下枠の少なくとも一方と、前記屋外突出部の突出支持材とが固着具によって互いに固定されている請求項１に記載のカーテンウォール。
【請求項３】
前記屋外突出部の突出支持材は、前記中間外壁体における中間上枠および中間下枠の左右両端位置に対応した少なくとも一対で設けられ、
前記中間外壁体の左右両側端縁には、前記中間上枠、突出支持材および中間下枠に渡って上下に連続した側方止水材が設けられ、この側方止水材が隣り合う他の中間外壁体の側端縁または窓部の側端縁に接続されている請求項１または請求項２に記載のカーテンウォール。
【請求項４】
前記中間外壁体は、前記中間上枠および中間下枠の両端部同士を連結して上下に延びる左右の中間縦枠を有して構成され、
前記屋外突出部の突出支持材は、前記中間上枠、中間下枠および左右の中間縦枠で囲まれた内部に挿通され、
前記中間縦枠と、隣り合う他の中間外壁体の中間縦枠または窓部の縦枠とが乾式の止水構造を介して接続されている請求項１または請求項２に記載のカーテンウォール。
【請求項５】
請求項１から請求項４のいずれかに記載のカーテンウォールの施工方法であって、
前記中間外壁体と前記屋外突出部とを互いに連結して一体化しておき、
前記下側窓部を建物躯体に固定してから、前記連結した中間外壁体および屋外突出部を吊り上げるとともに当該中間外壁体を前記下側窓部の上側に載置し、これらの中間外壁体および屋外突出部の突出支持材を建物躯体に固定し、前記中間外壁体の上側に前記上側窓部を載置して建物躯体に固定するカーテンウォールの施工方法。
【発明の詳細な説明】
【技術分野】
【０００１】
本発明は、カーテンウォール、およびカーテンウォールの施工方法に関し、詳しくは、窓部と、その屋外側に突出する屋外突出部とを備えたカーテンウォール、およびカーテンウォールの施工方法に関する。
【背景技術】
【０００２】
従来より、建物の外壁面を構成するカーテンウォールとして、上枠、下枠、左右の縦枠および面材を組み立てたカーテンウォールユニットを建物躯体に取り付けるユニット式のカーテンウォールや、上枠、下枠、左右の縦枠および面材を建物の各取付位置にて組み立てつつ建物躯体に取り付けるノックダウン式のカーテンウォールが知られている。
このようなカーテンウォールで構成した外壁において、グレーチングからなる歩行デッキや遮光用あるいは外観意匠のためのルーバーなど、外壁面から屋外側に突出して取り付けられた外装システムが提案されている（例えば、特許文献１参照）。
【０００３】
【特許文献１】特許第３３６１９７０号公報
【発明の開示】
【発明が解決しようとする課題】
【０００４】
ところで、特許文献１に記載されたような従来の外装システムでは、歩行デッキやルーバー、支柱等の外装材を支持するブラケットが建物躯体に固定され、外壁面を構成する外壁材やカーテンウォールなどを貫通して屋外側に延びて設けられている。このため、外壁材やカーテンウォールとブラケットとの納まりや貫通部分の止水構造などが複雑になるという懸念がある。また、従来の外装システムでは、ブラケットを建物躯体に先付けしておいてから外壁材やカーテンウォールを取り付け、その後ブラケットに外装材を取り付けることとなるため、外装材の取付作業を外壁面の屋外側で実施する必要がある。このため、外装材の取付作業が高所作業になったり、外装材取付用の足場を用意したりなど、現場の作業性が低下する可能性がある。特に、外壁面がユニット式のカーテンウォールで構成された高層建築物などにおいては、カーテンウォールユニットを吊り上げて建物躯体に取り付けるだけで外壁面の施工が完了することが施工効率の点で重要であり、このような高層建築物に従来の外装システムを適用した場合には、施工効率の低下が懸念される。
【０００５】
本発明の目的は、外装材の納まりや取付手順が簡単化でき、かつ施工効率を向上させることができるカーテンウォール、およびカーテンウォールの施工方法を提供することにある。
【課題を解決するための手段】
【０００６】
本発明のカーテンウォールは、上枠、下枠、および左右の縦枠の内部に面材を支持した複数の窓部と、この窓部よりも屋外側に略水平に突出する屋外突出部とを備えたカーテンウォールであって、前記複数の窓部のうち下側に設けられる下側窓部と、この下側窓部の上側に設けられる上側窓部との間には、建物躯体に支持される中間外壁体が設けられ、この中間外壁体は、少なくとも中間上枠および中間下枠と、中間面材とを有して構成されるとともに、前記中間下枠と前記下側窓部の上枠とが、乾式の止水構造を介して接続され、前記中間上枠と前記上側窓部の下枠とが、乾式の止水構造を介して接続され、前記屋外突出部は、略水平に延びる水平面材と、この水平面材を支持するとともに前記中間外壁体の中間上枠と中間下枠との間を通って建物内部側に延びる突出支持材とを備えて構成され、この突出支持材が前記中間外壁体よりも屋内側にて建物躯体に連結されていることを特徴とする。
【０００７】
このような本発明によれば、中間外壁体の中間上枠と中間下枠との間を通って建物内部側に延びる突出支持材を建物躯体に連結することで、屋外突出部の取付強度を高めることができ、この屋外突出部を例えば避難用バルコニーなどとして利用することができる。また、屋外突出部の突出支持材を中間外壁体の中間上枠と中間下枠との間に挿通させることで、中間外壁体において貫通部の止水構造を完結させることができ、貫通部を窓部に設ける必要がないことから、窓部の止水性が確保できる。そして、中間外壁体の中間上枠および中間下枠と上側窓部の下枠および下側窓部の上枠とを、それぞれカーテンウォールにおいて一般的な乾式の止水構造で接続することで、複雑な構造としなくても止水性能が確保できるとともに、窓部と中間外壁体との取付上の納まりとして、窓部同士の納まりと同様の構造が採用でき、取付施工性を向上させることができる。
【０００８】
さらに、本発明によれば、中間外壁体と屋外突出部とを一体化してから建物に取り付けるような施工手順を採用することができる。従って、下側窓部の取り付けに続いて中間外壁体および屋外突出部を取り付け、その後に上側窓部を取り付けるようにすれば、作業性のよい地上において中間外壁体における突出支持材の貫通部分の止水処理を実施することができ、止水性能を向上させることができる。そして、建物への取付位置である高所においては、通常の窓部を設置する作業と同様に、下側窓部の上側に乾式の止水構造を介して中間外壁体の中間下枠を載置し、この中間外壁体の中間上枠の上側に乾式の止水構造を介して上側窓部の下枠を載置することができ、高所における止水作業を省略あるいは簡略できることで施工効率を向上させることができる。
【０００９】
また、本発明のカーテンウォールでは、前記中間外壁体の中間上枠および中間下枠の少なくとも一方と、前記屋外突出部の突出支持材とが固着具によって互いに固定されていることが好ましい。
このような構成によれば、中間外壁体と屋外突出部とが連結されていることで、これらを一体化してから建物に取り付ける施工手順を採用した場合の一体性を高め、施工時の取り扱いが良好にでき、施工性を向上させることができる。また、中間外壁体を貫通する屋外突出部の突出支持材が中間上枠や中間下枠に固着されることで、風などの外力が屋外突出部に作用した場合でも突出支持材と中間外壁体との相対移動を防止することができ、貫通部における止水性能が維持できる。
【００１０】
また、本発明のカーテンウォールでは、前記屋外突出部の突出支持材は、前記中間外壁体における中間上枠および中間下枠の左右両端位置に対応した少なくとも一対で設けられ、前記中間外壁体の左右両側端縁には、前記中間上枠、突出支持材および中間下枠に渡って上下に連続した側方止水材が設けられ、この側方止水材が隣り合う他の中間外壁体の側端縁または窓部の側端縁に接続されていることが好ましい。
また、本発明のカーテンウォールでは、前記中間外壁体は、前記中間上枠および中間下枠の両端部同士を連結して上下に延びる左右の中間縦枠を有して構成され、前記屋外突出部の突出支持材は、前記中間上枠、中間下枠および左右の中間縦枠で囲まれた内部に挿通され、前記中間縦枠と、隣り合う他の中間外壁体の中間縦枠または窓部の縦枠とが乾式の止水構造を介して接続されていてもよい。
このような構成によれば、中間外壁体の左右側端縁に設けた側方止水材を隣り合う他の中間外壁体や窓部の側端縁に接続させるか、または中間外壁体における左右の中間縦枠を隣り合う他の中間外壁体の中間縦枠または窓部の縦枠と乾式の止水構造を介して接続することで、中間外壁体の側端縁における止水性能を確保することができる。
【００１１】
一方、本発明のカーテンウォールの施工方法は、前記いずれかのカーテンウォールの施工方法であって、前記中間外壁体と前記屋外突出部とを互いに連結して一体化しておき、前記下側窓部を建物躯体に固定してから、前記連結した中間外壁体および屋外突出部を吊り上げるとともに当該中間外壁体を前記下側窓部の上側に載置し、これらの中間外壁体および屋外突出部の突出支持材を建物躯体に固定し、前記中間外壁体の上側に前記上側窓部を載置して建物躯体に固定することを特徴とする。
【００１２】
このような本発明によれば、前述と同様に、中間外壁体と屋外突出部とを一体化してから建物に取り付ける際に、作業性のよい地上において中間外壁体における突出支持材の貫通部分の止水処理を実施することができ、止水性能を向上させることができるとともに、高所においては、通常の窓部を設置する作業と同様に止水作業を省略あるいは簡略でき、施工効率を向上させることができる。
【発明を実施するための最良の形態】
【００１３】
以下、本発明の実施形態を図面に基づいて説明する。
図１は、本実施形態に係るカーテンウォール１０を備える建物１の一部を示す外観姿図である。図２は、カーテンウォール１０を示す縦断面図であり、図３は、カーテンウォール１０の一部を示す横断面図である。図４は、カーテンウォール１０の一部を拡大して示す縦断面図である。図５は、カーテンウォール１０に設けられる中間外壁体２０およびバルコニー３０を示す斜視図である。図６は、中間外壁体２０部分を拡大して示す正面図である。
図１〜図４において、建物１の外壁面を構成するカーテンウォール１０は、建物１の各階の床レベル（図中ＦＬで示す）間の距離（階高）よりも若干小さい高さ寸法を有する複数の窓部としてのカーテンウォールユニット１１と、上下階のカーテンウォールユニット１１同士の間である各階の床レベル近傍に設けられる中間外壁体２０と、この中間外壁体２０と略同一高さレベルにてカーテンウォールユニット１１よりも屋外側に略水平に突出する屋外突出部としてのバルコニー３０とを備えて構成されている。
【００１４】
カーテンウォールユニット１１は、建物１の建物躯体である梁２の下フランジにファスナー（支持具）３を介して吊り下げ支持されており、上枠１２、下枠１３、および左右の縦枠１４を四周枠組みした枠体と、左右の縦枠１４間に水平に架設された２本の中桟（中間横材）１５，１６と、上下の中桟１５，１６および左右の縦枠１４間に支持された面材としてのガラスパネル１７と、下側の中桟１６、下枠１３および左右の縦枠１４間に支持された腰部パネル１８と、上枠１２、上側の中桟１５および左右の縦枠１４間に支持されたスパンドレル部パネル１９とを有して構成されている。また、腰部パネル１８およびスパンドレル部パネル１９の屋内側には、それぞれ耐火パネル１８Ａ，１９Ａが設けられ、ガラスパネル１７の屋内側には、上下開閉自在な遮光ブラインド４が設けられている。また、所定のカーテンウォールユニット１１Ａにおいて、上下の中桟１５，１６および左右の縦枠１４間には、ガラスパネル１７に代えて屋外側に開閉可能な面材である開閉扉１７Ａが設けられている。この開閉扉１７Ａは、火災などの非常時において屋内からバルコニー３０へ避難するためのものであって、すなわちバルコニー３０は、避難バルコニーであり、バルコニー３０には、上階から下階に避難可能な図示しない避難ハッチが設けられている。
【００１５】
バルコニー３０は、図５にも示すように、屋内外方向に延びる突出支持材である片持ち梁３１，３２と、これらの片持ち梁３１，３２の先端に渡って延びる先端梁３３と、片持ち梁３１，３２の上側に支持されて略水平に延びる水平面材としてのグレーチング３４と、先端梁３３から上方に立ち上がって設けられる手摺り３５とを有して構成されている。このバルコニー３０は、隣り合う３つのカーテンウォールユニット１１に対応した幅寸法を有して一体的に構成され、この幅方向の両端部にＣ形断面の溝形鋼（アングル材）からなる２本の片持ち梁３１が設けられ、カーテンウォールユニット１１の接続位置に対応した幅方向の中間部にＨ形断面のＨ形鋼からなる２本の片持ち梁３２が設けられている。これらの片持ち梁３１，３２は、中間外壁体２０を貫通して屋内外に延びるとともに、図４に示すように、その屋内側の基端部が中間外壁体２０よりも屋内側にて建物躯体である梁２の上フランジにブラケット５を介して固定されるとともに、中間外壁体２０の中間上枠２１および中間下枠２２（後述）に固着具であるボルト３６を介して固定されている。
【００１６】
中間外壁体２０は、図６にも示すように、上階のカーテンウォールユニット１１（上側窓部）の下枠１３に対向して左右に延びる中間上枠２１と、下階のカーテンウォールユニット１１（下側窓部）の上枠１２に対向して左右に延びる中間下枠２２と、これらの中間上枠２１および中間下枠２２の屋外側に設けられる中間面材２３と、中間上枠２１および中間下枠２２の屋内側に設けられる耐火面材２４とを有して、全体角筒状に構成されている。中間上枠２１および中間下枠２２は、バルコニー３０の幅寸法（つまり、隣り合う３つのカーテンウォールユニット１１の幅寸法）と略同一の長さ寸法を有して連続形成され、これらの中間上枠２１と中間下枠２２との間を通って前記片持ち梁３１，３２が屋内外に挿通されている。また、中間面材２３は、片持ち梁３１，３２同士のスパンごとに別体として形成され、中間面材２３と片持ち梁３１，３２との隙間には、シール材２５が充填されるとともに、片持ち梁３１，３２のフランジとウェブで囲まれた部分は、塞ぎ板２６で密閉されている。
【００１７】
次に、カーテンウォールユニット１１と中間外壁体２０との止水構造について、図７および図８も参照して説明する。ここで、図７は、中間外壁体２０およびバルコニー３０を示す平面図であり、図８は、中間外壁体２０およびバルコニー３０を示す側面図である。
中間外壁体２０の中間上枠２１の上面には、上方に突出する止水材２１Ａと、この止水材２１Ａよりも屋内側の気密材２１Ｂとが、それぞれ当該中間上枠２１の略全長に渡って設けられている。一方、上階のカーテンウォールユニット１１の下枠１３の下面には、図４に示すように、下方に突出する第１止水材１３Ａおよび第２止水材１３Ｂと、第２止水材１３Ｂよりも屋内側の気密材１３Ｃとが、それぞれ当該下枠１３の略全長に渡って設けられている。さらに、中間上枠２１の上面には、位置決め部品２１Ｃが設けられ、カーテンウォールユニット１１の下枠１３の下面には、位置決め部品１３Ｄが設けられている。また、下階のカーテンウォールユニット１１の上枠１２の上面には、上方に突出する止水材１２Ａと、この止水材１２Ａよりも屋内側の気密材１２Ｂとが、それぞれ当該上枠１２の略全長に渡って設けられている。一方、中間外壁体２０の中間下枠２２の下面には、下方に突出する第１止水材２２Ａおよび第２止水材２２Ｂと、第２止水材２２Ｂよりも屋内側の気密材２２Ｃとが、それぞれ当該中間下枠２２の略全長に渡って設けられている。さらに、カーテンウォールユニット１１の上枠１２の上面には、位置決め部品１２Ｃが設けられ、中間下枠２２の下面には、位置決め部品２２Ｄが設けられている。
【００１８】
以上のような上下階のカーテンウォールユニット１１と中間外壁体２０とは、乾式の止水構造を介して接続されている。すなわち、下階のカーテンウォールユニット１１における上枠１２の止水材１２Ａと、中間外壁体２０における中間下枠２２の第２止水材２２Ｂとが当接し、上枠１２の気密材１２Ｂと中間下枠２２の気密材２２Ｃとが当接可能に構成されている。また、中間下枠２２の第１止水材２２Ａは、下階のカーテンウォールユニット１１における上枠１２の上面に当接可能に構成されている。このように、下階のカーテンウォールユニット１１の上枠１２の上側に、中間外壁体２０の中間下枠２２を載置することで、互いの止水材および気密材同士が当接する乾式の止水構造が構成されている。また、下階のカーテンウォールユニット１１における上枠１２の位置決め部品１２Ｃと、中間下枠２２の位置決め部品２２Ｄとは、互いに係合可能に構成されており、中間外壁体２０を設置する際に、下階のカーテンウォールユニット１１に対して中間下枠２２が見込み方向に位置決めされるようになっている。
【００１９】
さらに、中間外壁体２０における中間上枠２１の止水材２１Ａと、上階のカーテンウォールユニット１１における下枠１３の第２止水材１３Ｂとが当接し、中間上枠２１の気密材２１Ｂと、下枠１３の気密材１３Ｃとが当接可能に構成されている。また、下枠１３の第１止水材１３Ａは、中間外壁体２０における中間面材２３の上面に当接可能に構成されている。このように、中間外壁体２０における中間上枠２１の上側に、上階のカーテンウォールユニット１１の下枠１３を載置することで、互いの止水材および気密材同士が当接する乾式の止水構造が構成されている。また、中間外壁体２０における中間上枠２１の位置決め部品２１Ｃと、上階のカーテンウォールユニット１１における下枠１３の位置決め部品１３Ｄとは、互いに係合可能に構成されており、上階のカーテンウォールユニット１１を設置する際に、中間外壁体２０に対して下枠１３が見込み方向に位置決めされるようになっている。
【００２０】
また、図５〜図８に示すように、中間外壁体２０の両側端縁には、中間上枠２１、バルコニー３０の片持ち梁３１および中間下枠２２に渡って上下に連続した第１側方止水材２７および第２側方止水材２８が設けられている。第１側方止水材２７は、中間上枠２１の止水材２１Ａおよび中間下枠２２の第２止水材２２Ｂと略同一見込み位置に設けられ、これらの止水材２１Ａおよび第２止水材２２Ｂと接続されている。また、第２側方止水材２８は、中間上枠２１の気密材２１Ｂおよび中間下枠２２の気密材２２Ｃと略同一見込み位置に設けられ、これらの気密材２１Ｂ，２２Ｃと接続されている。さらに、第１側方止水材２７および第２側方止水材２８は、図８に示すように、上下階のカーテンウォールユニット１１における縦枠１４の止水材１４Ａおよび気密材１４Ｂと略同一見込み位置に設けられている。そして、第１側方止水材２７および第２側方止水材２８は、図７に示すように、隣り合う他の中間外壁体２０の第１側方止水材２７および第２側方止水材２８に当接可能に構成され、これにより乾式の止水構造が構成されている。また、互いに当接された第２側方止水材２８の屋内側には、湿式のシール材２９が設けられている。
【００２１】
次に、カーテンウォール１０の施工手順について説明する。
本実施形態におけるカーテンウォールユニット１１の取り付け手順としては、先ず所定の階（下階）において、カーテンウォールユニット１１が左右に並べて建物躯体に取り付けられた状態から、その上階の床レベルに中間外壁体２０およびバルコニー３０を取り付ける。この取り付けに際し、予め地上の地組ヤードや工場において、中間外壁体２０とバルコニー３０とを連結して一体化しておく。すなわち、バルコニー３０の片持ち梁３１，３２を、中間外壁体２０の中間上枠２１と中間下枠２２との間に挿通し、ボルト３６で片持ち梁３１，３２と中間上枠２１および中間下枠２２とを固定する。そして、中間面材２３と片持ち梁３１，３２との隙間にシール材２５を充填してシールするとともに、中間外壁体２０の両側端縁に第１側方止水材２７および第２側方止水材２８を貼り付けて固定しておく。さらに、バルコニー３０の先端梁３３を片持ち梁３１，３２の先端に固定するとともに、片持ち梁３１，３２の上側にグレーチング３４を固定し、先端梁３３に手摺り３５を固定してバルコニー３０を略完全に組み立てておく。
【００２２】
以上のように連結した中間外壁体２０およびバルコニー３０を建設現場において吊り上げ、所定の階のカーテンウォールユニット１１（下階窓部）の上側に設置する。この際、吊り上げた状態の中間外壁体２０における中間下枠２２の位置決め部品２２Ｄを、下階のカーテンウォールユニット１１における上枠１２の位置決め部品１２Ｃに係合させ、中間下枠２２を位置決めしてから、バルコニー３０における片持ち梁３１，３２の基端部をブラケット５を介して梁２の上フランジに固定する。このように、中間下枠２２をカーテンウォールユニット１１の上枠１２に載置するだけで、前記上枠１２の止水材１２Ａと中間下枠２２の第２止水材２２Ｂとが当接し、上枠１２の気密材１２Ｂと中間下枠２２の気密材２２Ｃとが当接して、中間外壁体２０下部の止水構造が構成されるようになっている。また、取り付けた中間外壁体２０およびバルコニー３０の側方に、隣り合う他の中間外壁体２０およびバルコニー３０を同様の手順で取り付けることで、前記第１側方止水材２７および第２側方止水材２８同士が当接して、中間外壁体２０側部の止水構造が構成されるようになっている。
【００２３】
次に、取り付けた中間外壁体２０およびバルコニー３０の上方に上階のカーテンウォールユニット１１（上階窓部）を設置する。この際、吊り上げた状態のカーテンウォールユニット１１における下枠１３の位置決め部品１３Ｄを、中間外壁体２０における中間上枠２１の位置決め部品２１Ｃに係合させ、カーテンウォールユニット１１の下部を位置決めしてから、その上部をファスナー３を介して上階の梁２の下フランジに固定する。このように、カーテンウォールユニット１１の下枠１３を中間上枠２１に載置するだけで、前記中間上枠２１の止水材２１Ａと下枠１３の第２止水材１３Ｂとが当接し、中間上枠２１の気密材２１Ｂと下枠１３の気密材１３Ｃとが当接して、中間外壁体２０上部の止水構造が構成されるようになっている。そして、上階のカーテンウォールユニット１１を同様の手順で左右に並べて取り付けていくことで、カーテンウォール１０の施工が完了する。
【００２４】
このような本実施形態によれば、以下のような効果がある。
(１)すなわち、中間外壁体２０の中間上枠２１と中間下枠２２との間を通って建物内部側に延びる片持ち梁３１，３２が梁２に固定されているので、バルコニー３０の取付強度を高めることができ、このバルコニー３０を避難用として利用することができる。また、バルコニー３０の片持ち梁３１，３２が中間外壁体２０の中間上枠２１と中間下枠２２との間に挿通され、片持ち梁３１，３２と中間面材２３とがシール材２５によってシールされているので、中間外壁体２０位置において貫通部の止水構造を完結させることができ、カーテンウォールユニット１１に貫通部を設ける必要がないことから、カーテンウォールユニット１１の止水性が確保できる。
【００２５】
(２)そして、中間外壁体２０の中間上枠２１と上階のカーテンウォールユニット１１の下枠１３とが乾式の止水構造で接続され、および中間下枠２２と下階のカーテンウォールユニット１１の上枠１２とが乾式の止水構造で接続されている。従って、カーテンウォールにおいて一般的な乾式の止水構造によって、中間外壁体２０と上下階のカーテンウォールユニット１１とが接続されることで、複雑な構造としなくても止水性能が確保できるとともに、カーテンウォールにおける通常の取付手順が採用でき、取付施工性を向上させることができる。
【００２６】
(３)さらに、中間外壁体２０とバルコニー３０とを一体化してから建物に取り付ける施工手順、すなわち、下階のカーテンウォールユニット１１の取り付けに続いて一体化した中間外壁体２０およびバルコニー３０を取り付け、その後に上階のカーテンウォールユニット１１を取り付ける手順を採用したことで、作業性のよい地上において中間外壁体２０とバルコニー３０との連結作業および貫通部分の止水処理を実施することができ、止水性能を向上させることができる。そして、建物への取付位置である高所においては、通常のカーテンウォールユニット１１を設置する作業と同様に、下階のカーテンウォールユニット１１の上側に乾式の止水構造を介して中間外壁体２０の中間下枠２２を載置し、この中間外壁体２０の中間上枠２１の上側に乾式の止水構造を介して上階のカーテンウォールユニット１１の下枠１３を載置することができ、高所における止水作業を省略あるいは簡略できることで施工効率を向上させることができる。
【００２７】
なお、本発明は、前記実施形態に限定されるものではない。
例えば、前記実施形態では、カーテンウォール１０が複数のカーテンウォールユニット１１から構成されていたが、これに限らず、建物の取付位置にて上枠１２、下枠１３、縦枠１４、ガラスパネル１７等が組み立てられるノックダウン式にてカーテンウォール１０が構成されてもよい。このようなノックダウン式のカーテンウォールであっても、前述のように、中間外壁体２０の中間上枠２１と中間下枠２２との間を通ってバルコニー３０の片持ち梁３１，３２が屋内側に延びて建物躯体に固定され、中間外壁体２０と下階の上枠１２および上階の下枠１３とが乾式の止水構造で接続されていれば、止水性能を確保しつつ施工効率を向上させることができる。
また、前記実施形態では、屋外突出部として避難用のバルコニー３０を例示して説明したが、これに限らず、屋外突出部としては、清掃用や点検用のデッキ床などでもよく、またルーバーや意匠用の装飾、看板などであってもよい。
【００２８】
また、中間外壁体の構造としては、前記実施形態のように、その両側端縁に側方止水材２７，２８を設けたものに限らず、以下の図９および図１０に示すような構造が採用できる。ここで、図９は、本発明の変形例に係る中間外壁体２０Ａおよびバルコニー３０を示す斜視図である。図１０は、変形例に係る中間外壁体２０Ａを用いたカーテンウォール１０の一部を示す横断面図である。
図９において、中間外壁体２０Ａは、前記中間上枠２１および中間下枠２２と同様の中間上枠２１および中間下枠（図示略）と、これら中間上枠２１および中間下枠の両端部を連結して上下に延びる左右の中間縦枠４１とを有して、全体四角枠状に構成されている。中間縦枠４１は、前記カーテンウォールユニット１１の縦枠１４と略同一断面を有して構成され、その側面には、前記止水材１４Ａおよび気密材１４Ｂと同様の止水材４１Ａおよび気密材４１Ｂが設けられている。これらの止水材４１Ａおよび気密材４１Ｂは、中間上枠２１の気密材２１Ｂおよび中間下枠の気密材２２Ｃ（図４参照）と略同一見込み位置に設けられ、これらの気密材２１Ｂ，２２Ｃと接続されている。そして、バルコニー３０における両端部の片持ち梁３１は、中間縦枠４１の内側に沿って、中間上枠２１、中間下枠および左右の中間縦枠４１で囲まれた枠の内部に挿通されている。
【００２９】
このように中間縦枠４１を有した中間外壁体２０Ａとしては、例えば、図１０に示すように、建物の角部において屈曲して隣り合う位置への利用に適している。すなわち、互いの長手方向が角度を有して交差する中間外壁体２０Ａ同士の端部を接続する場合に、この端部に交差角度に応じた中間縦枠４１を設けておくことで、止水材４１Ａおよび気密材４１Ｂ同士を確実に密接させることができる。そして、止水材４１Ａおよび気密材４１Ｂ同士を当接させる乾式の止水構造で中間外壁体２０Ａ同士を接続することで、止水性能が確保できるとともに、施工効率も向上させることができる。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本実施形態に係るカーテンウォールを備える建物の一部を示す外観姿図である。
【図２】前記カーテンウォールを示す縦断面図である。
【図３】前記カーテンウォールを示す横断面図である。
【図４】前記カーテンウォールの一部を拡大して示す縦断面図である。
【図５】前記カーテンウォールに設けられる中間外壁体および屋外突出部を示す斜視図である。
【図６】前記中間外壁体部分を拡大して示す正面図である。
【図７】前記中間外壁体および屋外突出部を示す平面図である。
【図８】前記中間外壁体および屋外突出部を示す側面図である。
【図９】本発明の変形例に係る中間外壁体および屋外突出部を示す斜視図である。
【図１０】前記変形例に係る中間外壁体を用いたカーテンウォールの一部を示す横断面図である。
【符号の説明】
【００３２】
１０…カーテンウォール、１１…カーテンウォールユニット（窓部）、１２…上枠、１３…下枠、１４…縦枠、１７…ガラスパネル（面材）、２０，２０Ａ…中間外壁体、２１…中間上枠、２２…中間下枠、２３…中間面材、２７…第１側方止水材、２８…第２側方止水材、３０…バルコニー（屋外突出部）、３１，３２…片持ち梁（突出支持材）、３４…グレーチング（水平面材）、３６…ボルト（固着具）、４１…中間縦枠。
【図１】
0004870723.tif 000002
【図２】
0004870723.tif 000003
【図３】
0004870723.tif 000004
【図４】
0004870723.tif 000005
【図５】
0004870723.tif 000006
【図６】
0004870723.tif 000007
【図７】
0004870723.tif 000008
【図８】
0004870723.tif 000009
【図９】
0004870723.tif 000010
【図１０】
0004870723.tif 000011